(57)【要約】本発明は、分離型リュックサックに関するもので、肩紐が備えられた上側リュックサックと、上側リュックサックが着脱可能に結合されるベルト部材を備えた下側リュックサックと、下側リュックサックをベルト部材に沿ってスライディング移動するように結合する第１スライディング装置と、を含む。【選択図】図１
2014508587.tif 000002
【特許請求の範囲】
【請求項１】
肩紐が備えられた上側リュックサックと、
上側リュックサックが着脱可能に結合されるベルト部材を備えた下側リュックサックと、
下側リュックサックをベルト部材に沿ってスライディング移動するように結合する第１スライディング装置と、を含むことを特徴とする、
分離型リュックサック。
【請求項２】
第１スライディング装置は、ベルト部材に長手方向に沿ってファスナーが連続結合された第１ファスナー部と、一側は下側リュックサックに備えられ、他側は第１ファスナー部に結合されて、第１ファスナー部に沿ってスライディング移動する第１スライダーと、を含むことを特徴とする、請求項１に記載の分離型リュックサック。
【請求項３】
第１スライダーは、一つまたは複数形成されることを特徴とする、請求項２に記載の分離型リュックサック。
【請求項４】
上側リュックサックとベルト部材は、ファスナーを通じて着脱可能に結合されることを特徴とする、請求項１に記載の分離型リュックサック。
【請求項５】
下側リュックサックの一側端部とベルト部材の一側部のいずれか一方には固定孔が形成され、他方には固定孔に挿入固定される係止部が形成されることを特徴とする、請求項１に記載の分離型リュックサック。
【請求項６】
ベルト部材は、ベルトと、ベルトの一側端部に装着されて、ベルトの一側端部と他側端部を結合するバックルとを含み、
バックルは、ベルトの他側端部が貫通する貫通孔が形成されたバックル本体と、一端はベルトの一側端部が連結され、他端はバックル本体の貫通孔の一側に回転可能に備えられて、貫通孔を通過するベルトを加圧して固定する固定突起が形成された固定部と、を含むことを特徴とする、請求項１に記載の分離型リュックサック。
【請求項７】
貫通孔の内面の一側には、ベルトの一側面を加圧する固定突起と共にベルトの他側面を加圧するように支持突起が形成されることを特徴とする、請求項６に記載の分離型リュックサック。
【請求項８】
固定突起と支持突起は、貫通孔に位置したファスナーとファスナーとの間のベルトを加圧することを特徴とする、請求項７に記載の分離型リュックサック。
【請求項９】
肩紐は、両側端部が、ベルト部材の一側と他側に‘逆Ｕ’字状にそれぞれ連結され、一側面に上側リュックサックが結合されることを特徴とする、請求項１ないし８のいずれかに記載の分離型リュックサック。
【請求項１０】
肩紐の一端部は、ベルト部材に備えられたバックルに着脱可能に連結されることを特徴とする、請求項９に記載の分離型リュックサック。
【請求項１１】
肩紐と上側リュックサックとの間には、上側リュックサックを肩紐に沿ってスライディング移動するように結合する第２スライディング装置がさらに備えられることを特徴とする、請求項１０に記載の分離型リュックサック。
【請求項１２】
第２スライディング装置は、肩紐に長手方向に沿ってファスナーが連続結合された第２ファスナー部と、一側は上側リュックサックに備えられ、他側は第２ファスナー部に結合されて、第２ファスナー部に沿ってスライディング移動する第２スライダーと、を含むことを特徴とする、請求項１１に記載の分離型リュックサック。
【請求項１３】
上側リュックサックの一側端部と肩紐の一側部のいずれか一方には固定孔が形成され、他方には固定孔に挿入固定される係止部が形成されることを特徴とする、請求項１１に記載の分離型リュックサック。
【発明の詳細な説明】
【技術分野】
【０００１】
本発明は、リュックサックを上側リュックサックと下側リュックサックとに分離可能に構成し、着用者の背面に位置した下側または上側リュックサックを着用者の前面にそれぞれスライディング移動するように構成した分離型リュックサックに関する。
【背景技術】
【０００２】
一般に、リュックサックは、様々な種類の収納空間を設けて空間活用の便宜性を増大させ、着用者が背負うことができるように肩紐が形成されている。
【０００３】
しかし、このようなリュックサックは、リュックサックの内部に物品を収納したり、取り出したりする場合、必ず、肩紐を外して着用者の前面に移動させなければならず、使用後に再び肩紐を肩に掛けてリュックサックを着用者の背面に位置させなければならないという不便さがあった。
【発明の概要】
【発明が解決しようとする課題】
【０００４】
前述した問題点を解決するための本発明が達成しようとする技術的課題は、リュックサックを上側リュックサックと下側リュックサックとに分離して構成し、下側リュックサックは、着用者の腰の周りに沿って前面にスライディング移動可能なようにすると共に、上側リュックサックも使用者の前面にスライディング移動可能なように構成して、物品の収納の容易性を増大させた分離型リュックサックを提供することである。
【課題を解決するための手段】
【０００５】
前述した技術的課題を達成するための手段として、本発明の分離型リュックサックは、肩紐が備えられた上側リュックサックと、上側リュックサックが着脱可能に結合されるベルト部材を備えた下側リュックサックと、下側リュックサックをベルト部材に沿ってスライディング移動するように結合する第１スライディング装置と、を含む。
【０００６】
第１スライディング装置は、ベルト部材に長手方向に沿ってファスナーが連続結合された第１ファスナー部と、一側は下側リュックサックに備えられ、他側は第１ファスナー部に結合されて、第１ファスナー部に沿ってスライディング移動する第１スライダーと、を含む。
【０００７】
第１スライダーは、一つまたは複数形成される。
【０００８】
上側リュックサックとベルト部材は、ファスナーを通じて着脱可能に結合される。
【０００９】
下側リュックサックの一側端部とベルト部材の一側部のいずれか一方には固定孔が形成され、他方には固定孔に挿入固定される係止部が形成される。
【００１０】
ベルト部材は、ベルトと、ベルトの一側端部に装着されて、ベルトの一側端部と他側端部を結合するバックルとを含み、バックルは、ベルトの他側端部が貫通する貫通孔が形成されたバックル本体と、一端はベルトの一側端部が連結され、他端はバックル本体の貫通孔の一側に回転可能に備えられて、貫通孔を通過するベルトを加圧して固定する固定突起が形成された固定部と、を含む。
【００１１】
貫通孔の内面の一側には、ベルトの一側面を加圧する固定突起と共にベルトの他側面を加圧するように支持突起が形成される。
【００１２】
固定突起と支持突起は、貫通孔に位置したファスナーとファスナーとの間のベルトを加圧する。
【００１３】
一方、肩紐は、両側端部が、ベルト部材の一側と他側に‘逆Ｕ’字状にそれぞれ連結され、一側面に上側リュックサックが結合される。
【００１４】
肩紐の一端部は、ベルト部材に備えられたバックルに着脱可能に連結される。
【００１５】
肩紐と上側リュックサックとの間には、上側リュックサックを肩紐に沿ってスライディング移動するように結合する第２スライディング装置がさらに備えられる。
【００１６】
第２スライディング装置は、肩紐に長手方向に沿ってファスナーが連続結合された第２ファスナー部と、一側は上側リュックサックに備えられ、他側は第２ファスナー部に結合されて、第２ファスナー部に沿ってスライディング移動する第２スライダーと、を含む。
【００１７】
上側リュックサックの一側端部と肩紐の一側部のいずれか一方には固定孔が形成され、他方には固定孔に挿入固定される係止部が形成される。
【発明の効果】
【００１８】
本発明によれば、上側リュックサックと下側リュックサックをそれぞれ分離形成して着用者が着用できるように構成し、下側リュックサックと上側リュックサックのいずれか一方、または上側及び下側リュックサックの両方をスライディング装置を用いて着用者の前面にスライディング移動させることができるように構成することによって、物品収納の便宜性及び効率性を増大させる効果がある。
【図面の簡単な説明】
【００１９】
【図１】本発明に係る分離型リュックサックの第１実施例を示す分離斜視図である。
【図２】第１実施例に係る分離型リュックサックを示す組立斜視図である。
【図３】第１実施例に係る分離型リュックサックにおいてバックルを示す断面図である。
【図４】第１実施例に係る分離型リュックサックにおいてスライディング装置を示す斜視図である。
【図５】第１実施例に係る分離型リュックサックにおいてベルトと下側リュックサックとの固定状態を示す斜視図である。
【図６】第１実施例に係る分離型リュックサックの使用状態を示す図である。
【図７】本発明に係る分離型リュックサックの第２実施例を示す斜視図である。
【図８】第２実施例に係る上側リュックサックと肩紐との結合状態を示す斜視図である。
【発明を実施するための形態】
【００２０】
以下、添付の図面を参照して、本発明の属する技術分野における通常の知識を有する者が容易に実施できるように本発明の実施例を詳細に説明する。しかし、本発明は、様々な形態に具現可能であり、ここで説明する実施例に限定されない。そして、図面において、本発明を明確に説明するために、説明と関係のない部分は省略し、明細書全体において同様の部分に対しては同様の図面符号を付した。
【００２１】
＜第１実施例＞
本発明に係る分離型リュックサックは、上側リュックサック２００と下側リュックサック４００を着脱可能に構成し、上側リュックサック２００と下側リュックサック４００のいずれか一方または全てを、第１スライディング装置５００を用いて着用者の前方にスライディング移動させることができるので、収納の便宜性を増大させた構成である。すなわち、頻繁に収納しなければならない物品をスライディング移動するリュックサックに収納すれば、リュックサックを肩から下ろさなければならないという不便さと面倒さを解消することができる。
【００２２】
そして、本発明の第１実施例に係る分離型リュックサックは、下側リュックサック４００を第１スライディング装置５００を通じて着用者の前面と背面にスライディング移動させることができる構成を特徴とする。
【００２３】
このような第１実施例に係る分離型リュックサックは、図１及び図２に示されるように、肩紐１００が備えられた上側リュックサック２００と、上側リュックサック２００の下側に備えられ、ベルト部材３００が備えられた下側リュックサック４００とを含み、下側リュックサック４００とベルト部材３００とは第１スライディング装置５００によって連結され、第１スライディング装置５００は、下側リュックサック４００を、ベルト部材３００に沿ってスライディング移動するようにベルト部材３００に結合する。
【００２４】
以下、本実施例に係る分離型リュックサックの構成をより詳細に説明する。
【００２５】
上側リュックサック２００は、着用者が背負うためのリュックサックであって、内部には収納空間が形成され、前記収納空間はファスナーによって開放され、外側面には小さな収納品を収納するための収納ポケット（図示せず）が備えられ、内側面には着用者が肩に掛けるための肩紐１００が備えられる。
【００２６】
肩紐１００は、着用者の両肩に掛けることができるように、上側リュックサック２００の両側にそれぞれ形成される。
【００２７】
下側リュックサック４００は、着用者の腰に付けるためのリュックサックであって、ファスナーによって内部の収納空間が開放されるようになされ、着用者の腰を巻き付ける形態で結合されるベルト部材３００に結合される。
【００２８】
ベルト部材３００は、ベルト３１０と、ベルト３１０の一側端部に装着され、ベルト３１０の一側端部と他側端部を連結するバックル３２０と、を含む。
【００２９】
ベルト３１０は、細長い帯状からなり、より安定的に着用者の腰に密着されるように軟質材である布または革で形成する。
【００３０】
バックル３２０は、図３に示されるように、ベルト３１０の両側端部を連結して着用者の腰に固定する役割を果たす。このようなバックル３２０は、ベルト３１０の他側端部が貫通する貫通孔３２１ａが形成されたバックル本体３２１と、一端にベルト３１０の一側端部が連結される連結部３２２ａが形成され、他端にバックル本体３２１の貫通孔３２１ａの一側に回転可能に備えられ、貫通孔３２１ａを通過するベルト３１０を加圧して固定する固定突起３２２ｂが形成された固定部３２２と、を含む。
【００３１】
すなわち、バックル本体３２１から固定部３２２を垂直になるように回転させると（図３で時計方向への回転）、固定部３２２の固定突起３２２ｂが、図３に表示された二点鎖線のように、貫通孔３２１ａから離脱しながら、バックル本体３２１の貫通孔３２１ａにベルト３１０の他側端部を円滑に貫通させることができる。
このような状態で、固定部３２２をバックル本体３２１と水平になるように回転させると（図３で反時計方向への回転）、図３に示された実線のように、固定突起３２２ｂが貫通孔３２１ａの内部に進入しながら、貫通孔３２１ａに位置したベルト３１０を加圧してベルト３１０を固定する。
【００３２】
このとき、固定部３２２は、人為的に固定部３２２を図３での時計方向に回転させない限り現在の状態を維持し、これによって、ベルト３１０の両側端部は結合された状態を維持する。
【００３３】
ここで、前記貫通孔３２１ａの内部の一側には、ベルト３１０を加圧する固定突起３２２ｂと対応するように支持突起３２１ｂが形成され、前記支持突起３２１ｂは、固定突起３２２ｂと共にベルト３１０の両側面をそれぞれ加圧して固定力を増大させる。
【００３４】
一方、前記固定突起３２２ｂと支持突起３２１ｂは、先端に行くほど次第に幅が狭くなる三角錐の形状からなり、これを通じて、ベルト３１０をより堅固に加圧して固定する。
【００３５】
一方、上側リュックサック２００は、ベルト部材３００に着脱可能に連結される。
【００３６】
すなわち、上側リュックサック２００の下部一側とベルト部材３００の上部一側は、ファスナー２１０を通じて着脱可能に結合される。言い換えると、上側リュックサック２００をベルト部材３００にファスナー２１０を用いて連結する場合、着用及び携帯の容易性を増大させ、上側リュックサック２００とベルト部材３００を分離する場合、上側リュックサック２００と下側リュックサック４００をそれぞれ携帯することができる。
【００３７】
一方、本発明の図面では図示していないが、上側リュックサック２００と下側リュックサック４００をファスナー、ベルクロ(登録商標)テープなどのような公知の連結手段を用いて着脱可能に結合してもよい。
【００３８】
第１スライディング装置５００は、図４に示されたように、下側リュックサック４００をより容易に着用者の前方に移動させるための構成であって、下側リュックサック４００とベルト部材３００との間に備えられる。
【００３９】
すなわち、第１スライディング装置５００は、ベルト部材３００のベルト３１０に長手方向に沿ってファスナーが連続結合された第１ファスナー部５１０と、一側は下側リュックサック４００に備えられ、他側は第１ファスナー部５１０に結合されて、第１ファスナー部５１０に沿ってスライディング移動する第１スライダー５２０と、を含む。
【００４０】
このような構成を有する第１スライディング装置５００は、第１スライダー５２０が第１ファスナー部５１０に沿ってスライディング移動することによって、第１スライダー５２０に結合された下側リュックサック４００を安定的にスライディング移動させることができる。
【００４１】
一方、前記下側リュックサック４００とベルト３１０との間には、着用者の背面に位置した下側リュックサック４００をベルト３１０に固定するための固定手段が備えられる。前記固定手段は、下側リュックサック４００の両側端部とベルト３１０の一側部のいずれか一方に形成された固定孔と、前記固定孔に挿入されるように他方に形成される固定部との結合を通じて、ベルト３１０に下側リュックサック４００を動かないように固定する。
【００４２】
一例として、固定手段は、図５に示されるように、下側リュックサック４００の両側端部に楕円形の固定孔４１０をそれぞれ形成し、前記固定孔４１０と対応するベルト３１０の一面に、前記固定孔４１０よりも小さい楕円形からなり、垂直または水平に回転する係止部３１１を形成する。
【００４３】
すなわち、前記下側リュックサック４００を、係止部３１１が備えられたベルト３１０の部分に第１スライディング装置５００を通じて移動させた後、ベルト３１０の係止部３１１を下側リュックサック４００の固定孔４１０を貫通させた状態で９０°回転させると、係止部３１１と固定孔４１０が交差しながら、係止部３１１の両端が固定孔４１０に掛かって離脱が防止され、これによって、ベルト３１０の一側に下側リュックサック４００を固定することができる。
【００４４】
一方、前記固定手段は、前記固定孔４１０及び係止部３１１で構成してもよいが、その代わりに、ベルクロテープまたはボタンと穴などを使用してもよい。
【００４５】
このような構成を有する本実施例に係る分離型リュックサックの使用状態を説明する。
【００４６】
図６に示したように、着用者は、両肩に上側リュックサック２００の肩紐１００を掛けた後、両手でベルト部材３００のベルト３１０の両側端部をつかんで、着用者の腰を巻き付けるように位置させた状態で、ベルト３１０の一側端部をバックル３２０の貫通孔３２１ａに挿入して、ベルト３１０が着用者の腰に安定的に装着されるように長さを調節する。
【００４７】
その後、固定部３２２を回転させると、固定部３２２の固定突起３２２ｂと貫通孔３２１ａに形成された支持突起３２１ｂとが貫通孔３２１ａに位置したベルト３１０の両側面をそれぞれ加圧しながら、ベルト３１０の一側端部を固定する。
【００４８】
このように、着用者は、肩紐１００とベルト部材３００の着用を通じて、上側リュックサック２００及び下側リュックサック４００を安定的に着用することができる。
【００４９】
ここで、飲料、地図、及び携帯電話などのように頻繁に収納が必要な収納物品は下側リュックサック４００に入れて置き、本、毛布などのように頻繁に収納する必要のない収納物品は上側リュックサック２００に入れて置く。
【００５０】
このとき、ベルト部材３００と上側リュックサック２００を連結しているファスナー２１０を開けることで、ベルト部材３００と上側リュックサック２００を分離させると、上側リュックサック２００または下側リュックサック４００のうち必要なリュックサックのみを携帯することができる。
【００５１】
その後、頻繁に使用する物品である携帯電話などを取り出すときは、ベルト部材３００の係止部３１１を９０°回転させて、下側リュックサック４００の固定孔４１０と同一に位置させた状態で、固定孔４１０と係止部３１１とを分離させると、下側リュックサック４００の固定が解除される。
この状態で、下側リュックサック４００をベルト部材３００に沿って着用者の前面側に引っ張ると、下側リュックサック４００に結合された第１スライダー５２０が、ベルト部材３００に沿って結合された第１ファスナー部５１０に沿ってスライディング移動しながら着用者の前面へ移動する。これによって、着用者は、下側リュックサック４００に収容された物品を着用者の前面で容易に取り出すことができる。
【００５２】
したがって、本発明の分離型リュックサックは、上側リュックサック２００と下側リュックサック４００をそれぞれ構成し、そのうち、下側リュックサック４００は、第１スライディング装置５００を通じて、ベルト部材３００に沿って着用者の前面にスライディング移動できるように構成することによって、使用の便宜性を増大させる。
【００５３】
以下、本発明の他の実施例を説明するに当たって、前述した実施例と同一の構成及び機能を有する構成については、同一または同様の構成符号を使用し、重複説明は省略する。
【００５４】
＜第２実施例＞
本発明の第２実施例に係る分離型リュックサックは、着用者が背負っている上側リュックサック２００を着用者の前面へ移動させることができるように構成される。
【００５５】
すなわち、第２実施例に係る分離型リュックサックは、図７に示されたように、肩紐１００’が備えられた上側リュックサック２００と、上側リュックサック２００の下側に備えられ、ベルト部材３００に連結された下側リュックサック４００と、を含み、上側リュックサック２００は、第２スライディング装置５００’を通じて肩紐１００’に沿ってスライディング移動可能に備えられる。
【００５６】
一方、ベルト部材３００と下側リュックサック４００の構成及び連結構造は、前述した第１実施例で説明したベルト部材３００と下側リュックサック４００の構成及び連結構造と同一であるので、重複説明は省略する。
【００５７】
肩紐１００’は、長い帯状からなり、一端は着用者の後方に位置したベルト部材３００に連結され、他端は着用者の片方の肩を通じて着用者の前方に位置したベルト部材３００に連結される。そして、着用者の後方に位置した肩紐１００’に上側リュックサック２００が結合される。
【００５８】
すなわち、肩紐１００’は、着用の安定性のために、着用者がクロスに掛けた状態で、両端がベルト部材３００の前方と後方にそれぞれ結合される。
【００５９】
ここで、肩紐１００’の他端はベルト部材３００に着脱可能に結合され、これによって、肩紐１００’を着用者の肩に装着したり、または外したりする時に、便宜性を増大させることができる。好ましくは、肩紐１００’の他端は、ベルト部材３００のバックル３２０の上端に形成された連結部３０１に着脱可能に結合される。
【００６０】
一例として、肩紐１００’の他端に締結ループを装着した後、その締結ループを連結部に締結させて着脱可能に結合してもよく、また、肩紐１００’の他端にベルクロテープを付着した後、その肩紐１００’の他端を連結部３０１を貫通させた後、ベルクロテープを通じて、図７に示されたように付着して結合することができる。
【００６１】
このように、ベルト、肩紐、サスペンダーなどを着脱可能に結合する公知の結合手段であればいずれも適用可能である。
【００６２】
第２スライディング装置５００’は、肩紐１００’に上側リュックサック２００を肩紐１００’に沿ってスライディング移動するように結合するためのもので、肩紐１００’の長手方向に沿ってファスナーが連続結合された第２ファスナー部５１０’と、一側は上側リュックサック２００に備えられ、他側は第２ファスナー部５１０’に結合されて、第２ファスナー部５１０’に沿ってスライディング移動する第２スライダー５２０’と、を含む。
【００６３】
言い換えると、第２スライダー５２０’が第２ファスナー部５１０’に沿ってスライディング移動すると、第２スライダー５２０’に固定された上側リュックサック２００が連動してスライディング移動する。
【００６４】
したがって、着用者は、前述した１番目の方法で説明したように、ベルト部材３００を着用者の腰に着用した状態で、ベルト部材３００に連結された肩紐１００’の他端を、着用者の片方の肩を通じて着用者の前方に位置したベルト部材３００のバックル３２０に結合すると、上側リュックサック２００の着用が完了する。
【００６５】
このような状態で、上側リュックサック２００を着用者の肩方向に引っ張ると、上側リュックサック２００に結合された第２スライダー５２０’が肩紐１００’に沿って結合された第２ファスナー部５１０’に沿ってスライディング移動しながら、上側リュックサック２００が着用者の肩を経て着用者の前面に位置することができる。これによって、着用者は、上側リュックサック２００から物品を容易に取り出したり、収納することができる。
【００６６】
一方、前記上側リュックサック２００は、着用者の背面に位置する肩紐１００’の一側に固定手段を通じて固定される。前記固定手段は、上側リュックサック２００の一側端部と肩紐１００’の一側部のいずれか一方に形成される固定孔と、前記固定孔に挿入されるように他方に形成される係止部と、からなる。
【００６７】
一例として、図８に示されたように、上側リュックサック２００の一側端部に固定孔２０１を形成し、着用者の背面に位置する肩紐１００’の一側に、前記固定孔２０１に挿入固定される係止部１０１’を形成して、上側リュックサック２００を肩紐１００’に固定したり又は固定解除することができる。
【００６８】
本発明の範囲は、上記の詳細な説明よりは、後述する特許請求の範囲によって表され、特許請求の範囲の意味及び範囲、そしてその等価概念から導かれるすべての変更又は変形された形態が本発明の範囲に属するものと解釈しなければならない。
【図１】
2014508587.tif 000003
【図２】
2014508587.tif 000004
【図３】
2014508587.tif 000005
【図４】
2014508587.tif 000006
【図５】
2014508587.tif 000007
【図６】
2014508587.tif 000008
【図７】
2014508587.tif 000009
【図８】
2014508587.tif 000010
【国際調査報告】
2014508587.tif 000011
2014508587.tif 000012
2014508587.tif 000013
2014508587.tif 000014